(57)【要約】      （修正有）【課題】タイルのサイズやタイル間の目地の幅の違いに簡単に対応することができるタイル切断用定規を提供する。【解決手段】二組の平行リンクが矩形状に結合されて構成されるタイル切断用定規であって、端部同士が連結部２４によって回転自在に連結される一対の第１バー部材２０で構成されるコーナー部２と、各辺の両端に位置する二つの第１バー部材２０間に取り外し可能に設けられる第２バー部材であって、長さが異なる複数種類の中から選択的に用いられる第２バー部材とを備え、各辺の二つの第１バー部材２０及び第２バー部材により各リンクが構成される。【選択図】図２
0003223905.tif 000002
【実用新案登録請求の範囲】
【請求項１】
二組の平行リンクが矩形状に結合されて構成されるタイル切断用定規であって、
端部同士が連結部によって回転自在に連結される一対の第１バー部材で構成されるコーナー部と、
各辺の両端に位置する二つの第１バー部材間に取り外し可能に設けられる第２バー部材であって、長さが異なる複数種類の中から選択的に用いられる第２バー部材とを備え、
各辺の二つの第１バー部材及び第２バー部材により各リンクが構成される
タイル切断用定規。
【請求項２】
第１バー部材及び第２バー部材のいずれか一方は、差込部を備え、いずれか他方は、差込部が嵌入される凹部を備え、第１バー部材及び第２バー部材は、凹凸嵌合する
請求項１に記載のタイル切断用定規。
【請求項３】
第１バー部材及び第２バー部材が凹凸嵌合した状態で、第１バー部材及び第２バー部材の外縁は、一直線となり、定規部を構成する
請求項２に記載のタイル切断用定規。
【請求項４】
一つのコーナー部の連結部又は隣り合う二つのコーナー部の各連結部は、二組の平行リンクの一方の面から突出する突出部を備え、
残りのコーナー部の各連結部は、突出部を備えない
請求項１ないし請求項３のいずれか一項に記載のタイル切断用定規。
【請求項５】
連結部は、一対の第１バー部材の各端部を貫通するボルトと、ボルトに螺合するナットを備え、
突出部は、ボルトのネジ部及びナットである
請求項４に記載のタイル切断用定規。
【考案の詳細な説明】
【技術分野】
【０００１】
本考案は、壁際に施工するタイルをその壁際の形状に合わせて切断するためのタイル切断用定規に関する。
【背景技術】
【０００２】
この種のタイル切断用定規としては、二組の平行リンクが矩形状に結合されて構成されるものであり、たとえば、特許文献１に記載されたものが知られている。図１３（ａ）に示す如く、壁ＷがタイルＴの施工ラインに対して傾斜するような場合、壁際の施工は、次の手順で行われる。まず、同図（ｂ）に示す如く、ｉ）壁際の形状に合わせて切断しようとするタイルｔを、その施工箇所に隣接する既に施行済みのタイルＴの上に重ねる。ｉｉ）次に、タイルＴの実寸法Ｐと同じ大きさのタイル切断用定規１’を用意し、タイル切断用定規１’を壁Ｗの傾斜角に合わせて角度を変えるとともに、タイル切断用定規１’の一辺のリンクを壁Ｗに沿わせる。ｉｉｉ）対向するリンクの外縁がタイルｔの切断すべき線と一致するので、この外縁に沿ってタイルｔに（罫書やペンを用いて）切断線を引く。ｉｖ）切断線に沿ってタイルｔを切断する。
【先行技術文献】
【特許文献】
【０００３】
【特許文献１】特開平７−２２５１０２号公報
【考案の概要】
【考案が解決しようとする課題】
【０００４】
タイルは、サイズが固定でなく、実寸法が異なる複数種類のタイルが存在する。また、タイルは、Ｐタイル等の床タイルであれば、図１３に示すように、隙間なく施工されるが、タイルが、磁器質、せっき質、陶器質、土器質等であれば、図１４に示す如く、タイルＴ間に隙間が形成されるようにタイルＴを施工し、その隙間に目地材を入れて目地を設けるというのが一般的である。目地の幅は様々であり、目地の幅の違いによって、目地共寸法が違ってくる。なお、目地を設ける理由は、ｉ）タイルの寸法誤差や施工による誤差の調整、ｉｉ）緩衝材としてタイルの保護、ｉｉｉ）タイルの接着の補助、ｉｖ）外部からの水・埃の侵入の防止、が挙げられる。図１４及び後述する図５ないし図８においては、図面上の理解を容易にするために、目地の幅は、タイルＴのサイズ（たとえば３００ｍｍ×３００ｍｍ）に対し、実際の幅よりも太く記載している。
【０００５】
そうすると、タイル切断用定規は、タイルのサイズ、目地の幅に合わせたサイズのものが必要となる。しかも、タイルのサイズ、目地の幅はいろいろあり、これらの組み合わせの数は多数である。これに合わせようとすると、サイズが異なる複数種類のタイル切断用定規を備えておく必要がある。これは、不経済であり、また、保管が面倒である。
【０００６】
そこで、本考案は、かかる事情に鑑みてなされたもので、タイルのサイズや目地の幅の違いに簡単に対応することができるタイル切断用定規を提供することを課題とする。
【課題を解決するための手段】
【０００７】
本考案に係るタイル切断用定規は、
二組の平行リンクが矩形状に結合されて構成されるタイル切断用定規であって、
端部同士が連結部によって回転自在に連結される一対の第１バー部材で構成されるコーナー部と、
各辺の両端に位置する二つの第１バー部材間に取り外し可能に設けられる第２バー部材であって、長さが異なる複数種類の中から選択的に用いられる第２バー部材とを備え、
各辺の二つの第１バー部材及び第２バー部材により各リンクが構成される
タイル切断用定規である。
【０００８】
ここで、本考案に係るタイル切断用定規の一態様として、
第１バー部材及び第２バー部材のいずれか一方は、差込部を備え、いずれか他方は、差込部が嵌入される凹部を備え、第１バー部材及び第２バー部材は、凹凸嵌合する
との構成を採用することができる。
【０００９】
この場合、
第１バー部材及び第２バー部材が凹凸嵌合した状態で、第１バー部材及び第２バー部材の外縁は、一直線となり、定規部を構成する
との構成を採用することができる。
【００１０】
また、本考案に係るタイル切断用定規の他態様として、
一つのコーナー部の連結部又は隣り合う二つのコーナー部の各連結部は、二組の平行リンクの一方の面から突出する突出部を備え、
残りのコーナー部の各連結部は、突出部を備えない
との構成を採用することができる。
【００１１】
この場合、
連結部は、一対の第１バー部材の各端部を貫通するボルトと、ボルトに螺合するナットを備え、
突出部は、ボルトのネジ部及びナットである
との構成を採用することができる。
【考案の効果】
【００１２】
以上の如く、本考案に係るタイル切断用定規によれば、タイルのサイズ、目地の幅に合わせて、長さが異なる複数種類の中から該当する第２バー部材に取り替えるだけで済む。このため、タイルのサイズや目地の幅の違いに簡単に対応することができる。しかも、コーナー部は使い回しでき、第２バー部材だけを複数種類備えておけばよいので、経済的であり、かつ、保管も楽になる。
【図面の簡単な説明】
【００１３】
【図１】図１（ａ）は、本考案の一実施形態に係るタイル切断用定規の平面図であり、図１（ｂ）は、図１（ａ）のＡ矢視図であり、図１（ｃ）は、図１（ａ）のＢ矢視図である。
【図２】図２（ａ）は、同タイル切断用定規の構成要素である第１コーナー部の平面図であり、図２（ｂ）は、真っ直ぐに伸ばした状態の同第１コーナー部の平面図であり、図２（ｃ）は、図２（ｂ）のＣ−Ｃ線断面図である。
【図３】図３（ａ）は、同タイル切断用定規の構成要素である第２コーナー部の平面図であり、図３（ｂ）は、真っ直ぐに伸ばした状態の同第２コーナー部の平面図であり、図３（ｃ）は、図３（ｂ）のＤ−Ｄ線断面図である。
【図４】図４（ａ）は、同タイル切断用定規の構成要素である第２バー部材の平面図であり、図４（ｂ）は、同第２バー部材の側面図であり、図４（ｃ）及び（ｄ）は、長さが異なる他の第２バー部材の平面図である。
【図５】図５は、壁がタイルの施工ラインに対して傾斜する態様において、壁際に施工するタイルをその壁際の形状に合わせて切断するために、同タイル切断用定規を用いてタイルに切断線を引く様子の説明図である。
【図６】図６は、壁がタイルの施工ラインと平行な態様において、壁際に施工するタイルをその壁際の形状に合わせて切断するために、同タイル切断用定規を用いてタイルに切断線を引く様子の説明図である。
【図７】図７は、壁とタイルとの間に目地を設けない態様において、壁際に施工するタイルをその壁際の形状に合わせて切断するために、同タイル切断用定規を用いてタイルに切断線を引く様子の説明図である。
【図８】図８は、交差する二つの壁とタイルとの間に目地を設けない態様において、壁際に施工するタイルをその壁際の形状に合わせて切断するために、同タイル切断用定規を用いてタイルに切断線を引く様子の説明図である。
【図９】図９は、長方形状のタイル用のタイル切断用定規の平面図である。
【図１０】図１０（ａ）は、突出部がないタイル切断用定規を用いてタイルに切断線を引く様子の説明図であり、図１０（ｂ）は、突出部があるタイル切断用定規を用いてタイルに切断線を引く様子の説明図である。
【図１１】図１１（ａ）は、一つのコーナー部において突出部が床側に突出する態様（もう一つのコーナー部において突出部が上方に突出する態様）のタイル切断用定規の側面図であり、図１１（ｂ）は、いずれのコーナー部においても突出部が床側に突出しない態様（二つのコーナー部において突出部が上方に突出する態様）のタイル切断用定規の側面図である。
【図１２】図１２は、他実施形態に係るタイル切断用定規のコーナー部の断面図である。
【図１３】図１３は、従来のタイル切断用定規を用いた工法の説明図である。
【図１４】図１４は、一般的なタイル施工例の説明図である。
【考案を実施するための形態】
【００１４】
以下、本考案に係るタイル切断用定規の一実施形態について、図１ないし図１２を参酌して説明する。
【００１５】
図１に示す如く、本実施形態に係るタイル切断用定規１は、二組の平行リンクが矩形状に結合されて構成されるタイル切断用定規であって、四つのコーナー部２，２，２，２（そのうち、隣り合う二つのコーナー部２，２は、第１コーナー部２Ａ，２Ａ、残りの隣り合う二つのコーナー部２，２は、第２コーナー部２Ｂ，２Ｂ）と、各隣り合うコーナー部２，２間に設けられる四つの第２バー部材３，３，３，３とを備えて構成される。本実施形態においては、これらは、プラスチック製である。しかし、これらの材質は、アルミ、鉄、ステンレス等の金属や、カーボンであってもよい。
【００１６】
図２に示す如く、第１コーナー部２Ａは、端部同士が連結部２４によって回転自在に連結される一対の第１バー部材２０，２０で構成される。各第１バー部材２０は、厚みよりも幅が大きい偏平な角材である。各第１バー部材２０は、連結部２４と反対側の端部から突出する差込部２１を備える。差込部２１は、第１バー部材２０の本体部よりも厚み及び幅のサイズを小さくしたものである。
【００１７】
各第１バー部材２０は、連結部２４側の端部に段差部２１を備える。一方の第１バー部材２０は、上面側に段差部２１を備える。他方の第１バー部材２０は、下面側に段差部２１を備える。これにより、端部同士を重ねた状態で、一対の第１バー部材２０，２０は、均一な厚みとなる。すなわち、一対の第１バー部材２０，２０の上面及び下面のそれぞれは、同一面（面一）となる。
【００１８】
各第１バー部材２０は、連結部２４側の端部に座２３ａ付きの孔部２３を備える。連結部２４は、一対の第１バー部材２０，２０の段差部２１，２１が重なり合って同心円となる各孔部２３を貫通するボルト２５と、ボルト２５に螺合する蝶ナット２６を主構成とする。ボルト２５の頭部２５ａは、厚みが小さく、一方の第１バー部材２０の座２３ａに挿入されて、第１バー部材２０の上面からはみ出ない、あるいは、はみ出すとしても、はみ出し量は小さい。他方の第１バー部材２０の座２３ａには、蝶ナット２６との接触用にワッシャ２７が挿入される。
【００１９】
図３に示す如く、第２コーナー部２Ｂも、第１コーナー部２Ａと基本的には同じ構成である。異なる点は、連結部２４の構造である。第２コーナー部２Ｂの連結部２４は、凹凸嵌合する一対のピン（凸型ピン２８及び凹型ピン２９）を主構成とする。凸型ピン２８のフランジ部は、一方の第１バー部材２０の座２３ａに挿入されて、第１バー部材２０の上面からはみ出ない、あるいは、はみ出すとしても、はみ出し量は小さい。凹型ピン２９のフランジ部は、他方の第１バー部材２０の座２３ａに挿入されて、第１バー部材２０の下面からはみ出ない、あるいは、はみ出すとしても、はみ出し量は小さい。
【００２０】
図４に示す如く、第２バー部材３は、第１バー部材２０の本体部と同じ断面形状を有し、厚みよりも幅が大きい偏平な角材である。第２バー部材３は、中空のチューブ状であり、第１バー部材２０の差込部と同じ断面形状を有する。このため、第２バー部材３の各端部に、第１バー部材２０の差込部２１が嵌入可能である。
【００２１】
第１バー部材２０及び第２バー部材３が凹凸嵌合した状態で、第１バー部材２０及び第２バー部材３の上面、下面、外縁面及び内縁面のそれぞれは、同一面（面一）となる。また、このため、タイル切断用定規１の上面及び下面のそれぞれは、同一面（面一）となる。そして、矩形（長方形（なお、長方形は正方形を含む概念））となるタイル切断用定規１の各辺において、二つの第１バー部材２０，２０及び第２バー部材３により、タイル切断用定規１の各リンクが構成される。また、各辺において、二つの第１バー部材２０，２０及び第２バー部材３の外縁は、一直線となり、タイル切断用定規１としての定規部を構成する。
【００２２】
第２バー部材３は、長さが異なる複数種類が用意される（図４（ａ）〜（ｃ）は、その中の一部）。第１バー部材２の長さは固定なので、この長さを除いた、タイルのサイズ、目地の幅に合わせて、第２バー部材３は、長さが異なる複数種類が用意される。これにより、第２バー部材３を取り替えれば、定規部の長さ（一辺の長さ）が異なる複数種類のタイル切断用定規１を構成することができる。
【００２３】
本実施形態に係るタイル切断用定規１は、以上の構成からなり、次に、このタイル切断用定規１を用いてタイルに切断線を引く方法について説明する。
【００２４】
図５は、タイルＴ，Ｔ間及び壁ＷとタイルＴとの間に目地を設けるものであって、壁ＷがタイルＴの施工ラインに対して傾斜する態様において、壁際に施工するタイルＴをその壁際の形状に合わせて切断するために、タイル切断用定規１を用いてタイルＴに切断線を引く場合を示す。
【００２５】
この場合は、タイル切断用定規１として、定規部の長さが目地共寸法（タイルＴの実寸法＋目地の幅Ｈ）に目地の幅Ｈを加えた長さとなる第２バー部材３を選択したものを用いる。まず、ｉ）壁際の形状に合わせて切断しようとするタイルｔを、その施工箇所に隣接する既に施行済みのタイルＴの上に重ねる。ｉｉ）次に、タイル切断用定規１を壁Ｗの傾斜角に合わせて角度を変え、蝶ネジ２６を締めてその角度に固定する。ｉｉｉ）次に、二つの第１コーナー部２Ａ，２Ａを有するタイル切断用定規１の一辺のリンク、すなわち、連結部２４の突出部を有する一辺のリンクを壁Ｗに沿わせる。ｉｖ）このリンクと対向するリンク、すなわち、二つの第２コーナー部２Ｂ，２Ｂを有するタイル切断用定規１の一辺のリンク、すなわち、連結部２４の突出部を有さない一辺のリンクの外縁がタイルｔの切断すべき線と一致するので、この外縁に沿ってタイルｔに（罫書やペンを用いて）切断線を引く。
【００２６】
これにより、タイルｔは、二つに切断されるが、タイル切断用定規１の外側に位置する方は、図５の壁際の二点鎖線で表した図形と一致することからわかるとおり、壁際に施工するタイルＴとなる。このように、第２バー部材３を取り替えるだけで、タイルのサイズに目地の幅を考慮した切断線を引くことができる。
【００２７】
図６は、タイルＴ，Ｔ間及び壁ＷとタイルＴとの間に目地を設けるものであって、壁ＷがタイルＴの施工ラインと平行な態様を示す。この場合も、タイル切断用定規１として、定規部の長さが目地共寸法（タイルＴの実寸法＋目地の幅Ｈ）に目地の幅Ｈを加えた長さとなる第２バー部材３を選択したものを用い、かつ、各コーナー部２の角度を直角に固定することにより、同様の手順で切断線を引くことができる。
【００２８】
図７は、タイルＴ，Ｔ間に目地を設けるが、壁ＷとタイルＴとの間には目地を設けない態様を示す。この場合は、タイル切断用定規１として、定規部の長さが目地共寸法（タイルＴの実寸法＋目地の幅Ｈ）となる第２バー部材３を選択したものを用いることにより、同様の手順で切断線を引くことができる。
【００２９】
図８は、角となる二つの壁Ｗ，ＷのそれぞれがタイルＴの施工ラインに対して傾斜する態様を示す。この場合は、一つのタイル切断用定規１を用い、まず、図８（ａ）に示す如く、一方の壁Ｗとの関係の切断線を引き、次に、同図（ｂ）に示す如く、もう一方の壁Ｗとの関係の切断線を引く。これにより、タイルＴに、角部の切断線を引くことができる。なお、二つのタイル切断用定規１，１を同時に並べて用い、切断線を一気に引くようにしてもよい。
【００３０】
図９は、二組の平行リンクの長さが異なるタイル切断用定規１を示す。タイルＴの切断線は、要は、壁Ｗからの距離を把握できれば、適切に切断線を引くことができる。このため、タイル１の形状がどのような形状であるかは特に問題とならない。しかし、図９に示すタイル切断用定規１のように、縦辺と横辺のリンクの長さを異ならせた長方形状とすることにより、長方形状のタイルに切断線を引くのに適したタイル切断用定規とすることができる。
【００３１】
また、本実施形態によれば、切断対象のタイルｔを既設のタイルＴの上に重ねて作業を行うことで、タイル切断用定規１は、タイルＴ，ｔが二枚重なった箇所と、タイルＴがない床Ｆの箇所とに跨って載置される。このため、図１０（ａ）に示す如く、大きな段差のために、切断線を引く作業中にタイル切断用定規１が傾いて、適切に切断線を引くことができないおそれがある。タイルＴ，ｔが二枚重なった箇所に載置するタイル切断用定規１の部分が少ない場合は、このおそれは顕著となる。しかし、本実施形態に係るタイル切断用定規１によれば、同図（ｂ）に示す如く、連結部２４の突出部（ボルト２５のネジ部）が段差解消手段（高さ調整手段）となり、タイル切断用定規１を適切な姿勢に維持することができ、これにより、安定して切断線を引くことができる。
【００３２】
なお、突出部が一つだけの方が好ましい場合は、図１１（ａ）に示す如く、一つの連結部２４を向きを上下逆にすればよい。また、突出部がない方が好ましい場合は、同図（ｂ）に示す如く、タイル切断用定規１をひっくり返して使用するか、両方の連結部２４を向きを上下逆にすればよい。あるいは、突出部が不要な場合は、第２コーナー部２Ｂの連結部２４に交換することもできる。
【００３３】
さらに、ボルト２５として、一般的な頭部２５ａを有するボルト２５とすることで、図１２（ａ）及び（ｂ）に示す如く、突出部の突出量を二段階に変更することができる。また、同図（ｃ）に示す如く、蝶ナット２６の先を床に付けるようにするとともに、蝶ナット２６の螺合量を変更することで、突出部の突出量を多段階に変更することができる。
【００３４】
また、本実施形態に係るタイル切断用定規１によれば、第２バー部材３は複数種類が必要となるが、コーナー部２と第２バー部材３とを分離して、かつ、コーナー部２を真っ直ぐに伸ばして、それらをコンパクトに保管することができる。
【００３５】
なお、本考案に係るタイル切断用定規は、上記実施形態に限定されるものではなく、本考案の要旨を逸脱しない範囲で種々の変更が可能である。
【００３６】
上記実施形態においては、コーナー部２と第２バー部材３とを連結するための手段として、コーナー部２に差込部２１を設けるとともに、第２バー部材３に差込部２１が嵌入される凹部を設ける凹凸嵌合が採用される。しかし、本考案は、これに限定されるものではない。たとえば、これとは逆に、差込部を第２バー部材に設けるとともに、コーナー部に凹部を設けるようにしてもよい。あるいは、コーナー部の一方の第１バー部材に差込部、他方の第１バー部材に凹部を設け、第２バー部材の一端部に凹部、他端部に差込部を設けるようにしてもよい。また、コーナー部と第２バー部材との連結手段は、凹凸嵌合に限定されるものではなく、リンクの外縁に定規部を構成できるのであれば、種々の公知の方法を採用することができる。
【００３７】
また、上記実施形態においては、リンクの外縁を定規部とするものである。しかし、本考案は、これに限定されるものではない。たとえば、リンクの内縁を定規部とするものであってもよい。
【００３８】
また、上記実施形態においては、長さが異なる複数種類の第２バー部材を備える。この長さが異なるとは、長さが共通するバー部材に、長さが異なる各種のスペーサ部材（長さ調整部材）を結合し、バー部材とスペーサ部材とで第２バー部材を構成する概念を含むものである。
【００３９】
また、上記実施形態においては、第２バー部材は、タイルのサイズに加え、目地の幅の違いも考慮して、複数種類が用意される。しかし、本考案は、これに限定されるものではない。たとえば、目地の幅はタイルのサイズごとに決まっているとすれば、第２バー部材は、タイルのサイズだけを考慮した種類を用意すればよい。
【００４０】
また、上記実施形態においては、壁際の形状に合わせて切断しようとするタイルｔを、その施工箇所に隣接する既に施行済みのタイルＴの上に重ねる工程を行う。しかし、本考案は、これに限定されるものではない。たとえば、壁際の施工箇所に隣接する箇所も未施工の状態にしておき、ここに切断しようとするタイルｔを置き、切断線を引くようにしてもよい。この場合は、段差はタイル一枚分の厚みとなる。
【００４１】
また、上記実施形態においては、突出部を有する連結部２４は、二つのコーナー部２，２に設けられる。すなわち、第１コーナー部２Ａは、二つ用いられる。しかし、本考案は、これに限定されるものではない。突出部を有する連結部２４は、一つであってもよい。すなわち、第１コーナー部２Ａは、一つだけ用いるようにしてもよい。
【００４２】
また、上記実施形態においては、連結部２４の固定手段として、蝶ネジ２６が用いられる。しかし、本考案は、これに限定されるものではない。たとえば、パイプネジであってもよい。この場合、ボルト２５のネジ部の先端部がパイプネジで覆われるようにするのが好ましい。ネジ部の先端部にセメントが付着して螺動が円滑にいかなくなるのを防止するためと、パイプネジを、突出部の突出量を多段階に変更可能な段差解消手段（高さ調整手段）として利用できるためである。
【００４３】
また、「長方形状」、「矩形状」、「端部」、「平行」、「同一面（面一）」といった形状、部位又は状態を特定する用語は、本考案において、そのもののほか、それに近いないし類するという意味の「略」の概念も含むものである。
【符号の説明】
【００４４】
１…タイル切断用定規、２…コーナー部、２Ａ…第１コーナー部、２Ｂ…第２コーナー部、２０…第１バー部材、２１…差込部、２２…段差部、２３…孔部、２３ａ…座、２４…連結部、２５…ボルト、２５ａ…頭部、２６…蝶ナット、２７…ワッシャ、２８…凸型ピン、２９…凹型ピン、３…第２バー部材、Ｅ，Ｅ’，Ｅ’’…突出量、Ｆ…床、Ｌ，Ｌ’，Ｌ’’…長さ、Ｈ，Ｈ１，Ｈ２…目地の幅、Ｐ，Ｐ１，Ｐ２…単位ピッチ（目地共寸法）、Ｔ…タイル（施工済み）、ｔ…タイル（切断対象）、Ｗ…壁
【図１】
0003223905.tif 000003
【図２】
0003223905.tif 000004
【図３】
0003223905.tif 000005
【図４】
0003223905.tif 000006
【図５】
0003223905.tif 000007
【図６】
0003223905.tif 000008
【図７】
0003223905.tif 000009
【図８】
0003223905.tif 000010
【図９】
0003223905.tif 000011
【図１０】
0003223905.tif 000012
【図１１】
0003223905.tif 000013
【図１２】
0003223905.tif 000014
【図１３】
0003223905.tif 000015
【図１４】
0003223905.tif 000016